【手続補正書】
【提出日】平成16年1月29日(2004.1.29)
【手続補正１】
【補正対象書類名】明細書
【補正対象項目名】特許請求の範囲
【補正方法】変更
【補正の内容】
【特許請求の範囲】
【請求項１】
微細な凹凸形状を有する成形品を成形するための射出成形用金型において、前記成形品の凹凸形状を形成するための金型の転写部を、電鋳加工と切削加工により仕上げられていることを特徴とする射出成形用金型。
【請求項２】
成形品に要求される微細凹凸面を反転した微細凹凸面を有するマスター型を作製し、マスター型の微細凹凸面に電鋳加工して電鋳型を作製した後、電鋳型をマスター型から離型して得られる射出成形用金型において、射出成形用金型に要求される凸部の高さに相当する凹部をマスター型に加工する際、所望の深さより少なくとも凹部の底部に残ることが推測される未加工部の高さ分以上に深く凹部を加工し、この凹部を反転させた電鋳型の凸部が射出成形用金型に要求される凸形状の高さとなるまで、電鋳型の凸部端面を除去加工して成ることを特徴とする射出成形用金型。
【請求項３】
微細な凹凸形状を有する成形品を成形するための射出成形用金型の製造方法であって、成形品に要求される微細凹凸面を反転した微細凹凸面を有するマスター型を作製し、マスター型の微細凹凸面に電鋳加工して電鋳型を作製した後、電鋳型をマスター型から離型して射出成形用金型とする射出成形用金型の製造方法において、射出成形用金型に要求される凸部の高さに相当する凹部をマスター型に加工する際、所望の深さより少なくとも凹部の底部に残ることが推測される未加工部の高さ分以上に深く凹部を加工し、この凹部を反転させた電鋳型の凸部が射出成形用金型に要求される凸形状の高さとなるまで、電鋳型の凸部端面を除去加工することを特徴とする射出成形用金型の製造方法。
【請求項４】
成型品に要求される微細凹凸面を反転した微細凹凸面を有するマスター型を作製し、マスター型の微細凹凸面に電鋳加工して電鋳型を作製した後、マスター型から離型した電鋳型を微細凹凸形状を有する成型品を成形するための射出成形用金型とする射出成形用金型において、
前記成型品の微細凹凸形状を形成するための前記金型の転写部における微細凹凸面の凸部端面が切削加工あるいは研削加工が施された加工面であり、前記微細凹凸面の凹部が前記マスター型の表面を転写した転写面であることを特徴とする射出成形用金型。
【請求項５】
微細な凹凸形状を有する成型品を成形するための射出成形用金型の製造方法であって、成型品に要求される微細凹凸面を反転した微細凹凸面を有するマスター型を切削バイトにて切削加工して作製し、マスター型の微細凹凸面に電鋳加工を施して電鋳型を作製した後、電鋳型をマスター型から離型して射出成形用金型を得る射出成形用金型の製造方法において、マスター型に凹部を切削加工する際、その凹部を射出成形用金型に要求される凸形状の高さに相当する所望の深さより少なくとも切削バイトのノーズＲ寸法以上深く切削加工し、前記凹部を反転させて電鋳型に形成された凸部が射出成形用金型に要求される凸形状の高さとなるまで前記凸部を切削加工することを特徴とする射出成形用金型の製造方法。
【請求項６】
微細な凹凸形状を有する成型品を成型するための射出成形用金型の製造方法であって、成型品に要求される微細凹凸面を反転した微細凹凸面を有するマスター型をエッチングにより作製し、マスター型の微細凹凸面に電鋳加工を施して電鋳型を作製した後、電鋳型をマスター型から離型して射出成形用金型を得る射出成形用金型の製造方法において、マスター型に凹部を形成する際、その凹部を射出成形用金型に要求される凸形状の高さに相当する所望の深さより少なくとも凹部底面に形成されるＲ形状の高さ分だけ深く形成し、前記凹部を反転させて電鋳型に形成された凸部が射出成形用金型に要求される凸形状の高さとなるまで前記凸部を切削加工することを特徴とする射出成形用金型の製造方法。
【請求項７】
前記微細凹凸形状は、櫛歯形状あるいはノコバ形状であることを特徴とする請求項５または請求項６記載の射出成形用金型の製造方法。
【手続補正２】
【補正対象書類名】明細書
【補正対象項目名】０００９
【補正方法】変更
【補正の内容】
【０００９】
さらに、本発明の請求項３の射出成形用金型の製造方法は、微細な凹凸形状を有する成形品を成形するための射出成形用金型の製造方法であって、成形品に要求される微細凹凸面を反転した微細凹凸面を有するマスター型を作製し、マスター型の微細凹凸面に電鋳加工して電鋳型を作製した後、電鋳型をマスター型から離型して射出成形用金型とする射出成形用金型の製造方法において、射出成形用金型に要求される凸部の高さに相当する凹部をマスター型に加工する際、所望の深さより少なくとも凹部の底部に残ることが推測される未加工部の高さ分以上に深く凹部を加工し、この凹部を反転させた電鋳型の凸部が射出成形用金型に要求される凸形状の高さとなるまで、電鋳型の凸部端面を除去加工することを特徴とする。
さらに、本発明の射出成形用金型の製造方法は、微細な凹凸形状を有する成型品を成形するための射出成形用金型の製造方法であって、成型品に要求される微細凹凸面を反転した微細凹凸面を有するマスター型を切削バイトにて切削加工して作製し、マスター型の微細凹凸面に電鋳加工を施して電鋳型を作製した後、電鋳型をマスター型から離型して射出成形用金型を得る射出成形用金型の製造方法において、マスター型に凹部を切削加工する際、その凹部を射出成形用金型に要求される凸形状の高さに相当する所望の深さより少なくとも切削バイトのノーズＲ寸法以上深く切削加工し、前記凹部を反転させて電鋳型に形成された凸部が射出成形用金型に要求される凸形状の高さとなるまで前記凸部を切削加工することを特徴とする。
さらに、本発明の射出成形用金型の製造方法は、微細な凹凸形状を有する成型品を成型するための射出成形用金型の製造方法であって、成型品に要求される微細凹凸面を反転した微細凹凸面を有するマスター型をエッチングにより作製し、マスター型の微細凹凸面に電鋳加工を施して電鋳型を作製した後、電鋳型をマスター型から離型して射出成形用金型を得る射出成形用金型の製造方法において、マスター型に凹部を形成する際、その凹部を射出成形用金型に要求される凸形状の高さに相当する所望の深さより少なくとも凹部底面に形成されるＲ形状の高さ分だけ深く形成し、前記凹部を反転させて電鋳型に形成された凸部が射出成形用金型に要求される凸形状の高さとなるまで前記凸部を切削加工することを特徴とする。
【手続補正３】
【補正対象書類名】明細書
【補正対象項目名】００１１
【補正方法】変更
【補正の内容】
【００１１】
請求項２の発明によれば、マスター型に微細な凹凸形状を形成する際、凹部の底面に形成されるＲ部が、マスター型を電鋳加工して前記凹凸形状を反転した電鋳型の表面に転写される。転写された凸部のＲ部は切削加工で除去されるとともに表面粗さも取り除かれ、精度および表面粗さが向上させた凹凸形状を有する射出成形用金型が得られる。従って、請求項１および請求項２の発明によれば、射出成形用金型は、成型品の微細凹凸形状を形成するための前記金型の転写部における微細凹凸面の凸部端面が切削加工あるいは研削加工が施された加工面であり、前記微細凹凸面の凹部が前記マスター型の表面を転写した転写面であることを特徴とする射出成形用金型となる。
【手続補正４】
【補正対象書類名】明細書
【補正対象項目名】００１２
【補正方法】変更
【補正の内容】
【００１２】
請求項３、請求項５及び請求項６の発明によれば、微細な凹凸形状を加工されたマスター型の凹凸面に電鋳加工を施して前記凹凸形状を転写させた電鋳型を得る。この電鋳型の凹凸形状はマスター型の凹凸形状がそのまま反転されたものであり、マスター型の凹凸形状を加工した時の表面粗さや凹部底辺のＲ形状未加工部は、電鋳型の凹凸形状の表面粗さや凸部先端角部のＲ形状として形成される。そして、電鋳型の凹凸形状のうち凸部のみを切削加工して凸部端面を除去することでＲ形状未加工部や表面粗さを取り除き、シャープな凹凸形状に仕上げる。